(57)【要約】【課題】デッキ材が熱反りによって連結桁に隣り合う部分で上方へ突出することを抑えることができるバルコニーを提供すること。【解決手段】バルコニーは、第一、第二バルコニー部１１，１２を有しており、これらは、支柱と、桁材（連結桁４０、前桁５０）と、妻梁と、複数の根太６０と、複数のデッキ材７０とをそれぞれ備えている。連結桁４０は、第一、第二バルコニー部１１，１２の各根太６０がそれぞれ掛けられる根太掛け２８を有している。連結桁４０には、その長手方向に沿った両側縁部から当該連結桁４０に隣り合うデッキ材７０の上面まで延出して配置されるカバー材４５が取り付けられている。【選択図】図３
2019065585.tif 000002
【特許請求の範囲】
【請求項１】
第一バルコニー部と、前記第一バルコニー部に連結された第二バルコニー部とを有しており、
前記第一バルコニー部および前記第二バルコニー部は、一対の支柱と、前記一対の支柱に取り付けられた桁材と、前記一対の支柱に取り付けられた妻梁と、前記桁材および前記妻梁によって形成される床部に配置された根太と、前記根太の上に複数並設されたデッキ材とをそれぞれ備えており、
前記第一バルコニー部における前記桁材は、前記第一バルコニー部の前記根太および前記第二バルコニー部の前記根太がそれぞれ掛けられる根太掛けを有した連結桁によって構成されており、
前記連結桁には、その長手方向に沿った側縁部から当該連結桁に隣り合う前記デッキ材の上面まで延出して配置されるカバー材が取り付けられている
ことを特徴とするバルコニー。
【請求項２】
請求項１に記載のバルコニーにおいて、
前記カバー材は、前記連結桁の長手方向に沿った両側縁部にそれぞれ取り付けられており、
前記デッキ材の長手方向に沿った一方の側縁部には、鉤状の掛け片部が形成されており、
前記デッキ材の長手方向に沿った他方の側縁部には、雨樋形状部が形成されており、
前記連結桁の長手方向に沿った一方の側縁部側には、前記デッキ材の前記掛け片部が掛けられる雨樋部材が配置されている
ことを特徴とするバルコニー。
【請求項３】
請求項２に記載のバルコニーにおいて、
前記連結桁の長手方向に沿った両側縁部には、前記カバー材が取り付けられる取付片部が形成されており、
前記雨樋形状部は、底片部および前記底片部から立ち上げられた側片部を有しており、
前記カバー材および前記取付片部間、並びに前記連結桁の一方の前記取付片部および前記雨樋部材間はシール材によってそれぞれ塞がれており、
前記雨樋形状部の前記側片部には、前記連結桁の他方の前記取付片部に当接したシール部材が取り付けられている
ことを特徴とするバルコニー。
【請求項４】
請求項２または請求項３に記載のバルコニーにおいて、
前記第二バルコニー部における前記桁材は、根太掛けを有した前桁によって構成されており、
前記前桁の根太掛けに掛けられた前記根太には、前記前桁に当接した前側雨樋部材が取り付けられており、
前記根太の上に設置された前記デッキ材の長手方向に沿った一方の側縁部には、鉤状の掛け片部が形成されており、
前記第二バルコニー部における前記デッキ材の前記掛け片部は、前記前側雨樋部材に掛けられている
ことを特徴とするバルコニー。
【請求項５】
請求項２から請求項４のいずれか一項に記載のバルコニーにおいて、
前記連結桁および前記支柱の接合部下方には、前記雨樋形状部および前記雨樋部材からの雨水を受ける雨樋が設置されている
ことを特徴とするバルコニー。
【発明の詳細な説明】
【技術分野】
【０００１】
本発明は、戸建て住宅等の建物躯体に取り付けられるバルコニーに関する。
【背景技術】
【０００２】
従来、建物躯体に取り付けられる第一バルコニー部と、第一バルコニー部の前側に連結された第二バルコニー部とを有した奥行連結タイプのバルコニーが知られている（非特許文献１の１ページ左上部「奥行連結」を参照）。
第一バルコニー部および第二バルコニー部は、一対の支柱と、一対の支柱に取り付けられた桁材と、一対の支柱に取り付けられた妻梁と、桁材および妻梁によって形成される床部に配置された根太と、根太の上に複数並設されたデッキ材とをそれぞれ備えている。
第一バルコニー部における桁材は、当該第一、第二バルコニー部の双方の根太およびデッキ材が掛けられた連結桁として構成されている。第二バルコニー部における桁材は、連結桁よりも奥行方向において前方に位置した前桁として構成されている。
このように構成されたバルコニーに関し、図４では連結桁に符号１を付し、前桁に符号２を付し、デッキ材に符号３Ａ，３Ｂを付して示している。連結桁１の長手方向に沿った両側縁部には、建物躯体側のデッキ材３Ａと前桁２側のデッキ材３Ｂとの双方が掛けられており、これによりバルコニーの床面積を広くとることができる。
【先行技術文献】
【非特許文献】
【０００３】
【非特許文献１】「’１５−９月改訂  組立・施工説明書  バルコニーＢＣ−Ｘ型」、’１５−９月発行、１ページ、ＹＫＫＡＰ、［２０１７年８月２８日検索］、インターネット（http://manualweb.ykkap.co.jp/pdf_inter/100050/96656C201B00.pdf）
【発明の概要】
【発明が解決しようとする課題】
【０００４】
ところで、非特許文献１に記載のバルコニーでは、デッキ材３Ａ，３Ｂは、連結桁１の両側縁部に上方から掛けられているだけなので、日射等によってデッキ材に熱反りが生じると、デッキ材３Ａ，３Ｂのうち連結桁１に隣り合う部分が上方に突出するおそれがある。
【０００５】
本発明の目的は、デッキ材が熱反りによって連結桁に隣り合う部分で上方へ突出することを抑えることができるバルコニーを提供することにある。
【課題を解決するための手段】
【０００６】
本発明のバルコニーは、第一バルコニー部と、前記第一バルコニー部に連結された第二バルコニー部とを有しており、前記第一バルコニー部および前記第二バルコニー部は、一対の支柱と、前記一対の支柱に取り付けられた桁材と、前記一対の支柱に取り付けられた妻梁と、前記桁材および前記妻梁によって形成される床部に配置された根太と、前記根太の上に複数並設されたデッキ材とをそれぞれ備えており、前記第一バルコニー部における前記桁材は、前記第一バルコニー部の前記根太および前記第二バルコニー部の前記根太がそれぞれ掛けられる根太掛けを有した連結桁によって構成されており、前記連結桁には、その長手方向に沿った側縁部から当該連結桁に隣り合う前記デッキ材の上面まで延出して配置されるカバー材が取り付けられていることを特徴とする。
本発明のバルコニーによれば、デッキ材が熱反りによって連結桁に隣り合う部分で上方へ突出しようとしても、カバー材によってデッキ材を上から押えることができるので、デッキ材の上方への突出を抑制することができる。
【０００７】
本発明のバルコニーでは、前記カバー材は、前記連結桁の長手方向に沿った両側縁部にそれぞれ取り付けられており、前記デッキ材の長手方向に沿った一方の側縁部には、鉤状の掛け片部が形成されており、前記デッキ材の長手方向に沿った他方の側縁部には、雨樋形状部が形成されており、前記連結桁の長手方向に沿った一方の側縁部側には、前記デッキ材の前記掛け片部が掛けられる雨樋部材が配置されていることが好ましい。
このような構成によれば、第一バルコニー部におけるデッキ材と第二バルコニー部におけるデッキ材の取り付け向きを同じ向きに揃えた場合であっても、連結桁の長手方向に沿った一方の側縁部側では、雨樋部材によって雨水の排水経路を形成することができ、かつ、連結桁の長手方向に沿った他方の側縁部側では、デッキ材の雨樋形状部によって雨水の排水経路を形成することができる。
【０００８】
本発明のバルコニーでは、前記連結桁の長手方向に沿った両側縁部には、前記カバー材が取り付けられる取付片部が形成されており、前記雨樋形状部は、底片部および前記底片部から立ち上げられた側片部を有しており、前記カバー材および前記取付片部間、並びに前記連結桁の一方の前記取付片部および前記雨樋部材間はシール材によってそれぞれ塞がれており、前記雨樋形状部の前記側片部には、前記連結桁の他方の前記取付片部に当接したシール部材が取り付けられていることが好ましい。
このような構成によれば、連結桁の各取付片部まわりにおける雨漏れを抑制することができる。
【０００９】
本発明のバルコニーでは、前記第二バルコニー部における前記桁材は、根太掛けを有した前桁によって構成されており、前記前桁の根太掛けに掛けられた前記根太には、前記前桁に当接した前側雨樋部材が取り付けられており、前記根太の上に設置された前記デッキ材の長手方向に沿った一方の側縁部には、鉤状の掛け片部が形成されており、前記第二バルコニー部における前記デッキ材の前記掛け片部は、前記前側雨樋部材に掛けられていることが好ましい。
このような構成によれば、デッキ材に熱反りが生じても、根太に取り付けられた前側雨樋部材と前桁との位置関係に影響がないので、前桁および前側雨樋部材間に隙間が生じることなく、雨水を前側雨樋部材によって排水することができる。
【００１０】
本発明のバルコニーでは、前記連結桁および前記支柱の接合部下方には、前記雨樋形状部および前記雨樋部材からの雨水を受ける雨樋が設置されていることが好ましい。
このような構成によれば、雨樋形状部および雨樋部材からの雨水を前述した雨樋によって排水することができ、連結桁および支柱の接合部およびその周辺から雨水が支柱を伝って落ち難い構成にでき、伝り落ちる雨水によって支柱に筋状の変色部分が発生することを減らすことができる。
【発明の効果】
【００１１】
本発明によれば、デッキ材が熱反りによって連結桁に隣り合う部分で上方へ突出することを抑えることができるバルコニーを提供することができる。
【図面の簡単な説明】
【００１２】
【図１】本発明の実施形態に係るバルコニーの概略構造を示す斜視図。
【図２】前記実施形態に係るバルコニーを示す縦断面図。
【図３】前記実施形態に係るバルコニーの連結桁を示す縦断面図。
【図４】従来のバルコニーの連結桁を示す縦断面図。
【発明を実施するための形態】
【００１３】
［本実施形態の構成］
以下、本発明の実施形態を図面に基づいて説明する。
図１〜３において、本実施形態に係るバルコニー１０は、戸建て住宅等の建物躯体に取り付けられるものであり、第一バルコニー部１１と、第一バルコニー部１１に連結された第二バルコニー部１２とを有している。
なお、図においてＸ，Ｙ，Ｚ軸方向は互いに直交する方向であり、Ｘ軸方向はバルコニー１０の間口方向に沿っており、Ｙ軸方向はバルコニー１０の上下方向に沿っており、Ｚ軸方向はバルコニー１０の奥行方向に沿っている。また、図１では、説明の便宜上、バルコニー１０を第一バルコニー部１１と第二バルコニー部１２とに分離した状態を示している。
【００１４】
第一バルコニー部１１は、一対の支柱２１，２２と、支柱２１，２２に取り付けられた連結桁４０（桁材）および妻梁２３，２４と、連結桁４０および妻梁２３，２４とによって形成される床部２５に配置された複数の根太６０（図３参照）と、複数の根太６０の上に複数並設されたデッキ材７０とを備えている。妻梁２３，２４の上方には格子および笠木が組まれた手摺２６が設置されている。
連結桁４０は、Ｘ軸方向に沿って配置されていると共にその両端で支柱２１，２２に固定されている。妻梁２３は、Ｚ軸方向に沿って配置されていると共にその前端で支柱２１に固定されている。妻梁２４は、Ｚ軸方向に沿って配置されていると共にその前端で支柱２２に固定されている。
【００１５】
複数の根太６０は、Ｚ方向に沿ってそれぞれ配置されており、一端が連結桁４０にネジ止めされた根太掛け２８に掛けられてボルト止めされており、他端が建物躯体にネジ止めされた根太掛け２８に掛けられてボルト止めされている。これら複数の根太６０は、Ｘ軸方向に間隔を隔てて並設されている。
複数の根太６０の連結桁４０側の端部上面には、雨樋部材８０が取り付けられている。雨樋部材８０は、根太６０にネジ止めされた底片部８１と、底片部８１から立ち上げられた一対の側片部８２，８３と、側片部８２，８３のうち連結桁４０側の側片部８３からＺ軸方向に延出した当接片部８４とを有している。底片部８１および側片部８２，８３は雨樋部分を形成しており、当接片部８４は連結桁４０の後述する桁側片部４２２に当接している。この雨樋部材８０があるので、カバー材４５およびデッキ材７０間に入り込む雨水はそのまま落ちずに雨樋部材８０によって排水される。
カバー材４５および取付片部４２７間、並びに雨樋部材８０の側片部８３および取付片部４２７はシール材１４によってシーリングされている。
【００１６】
複数のデッキ材７０は、Ｘ軸方向に沿ってそれぞれ配置されており、一端が妻梁２３に当接しており、他端が妻梁２４に当接している。これら複数のデッキ材７０はＺ軸方向に並設されている。
各デッキ材７０は、図３に示すように、木粉を含有した合成樹脂製の押出形材によって形成されており、中空のデッキ本体部７１と、デッキ本体部７１の長手方向に沿った一方の側縁部に形成された鉤状の掛け片部７２と、デッキ本体部７１の長手方向に沿った他方の側縁部に形成された雨樋形状部７３とを有している。
デッキ本体部７１は、そのＺ軸方向における中央位置で根太６０にネジ止めされている。掛け片部７２は、デッキ本体部７１の一方の側縁部から延出した横延出片部７２１と、横延出片部７２１から下方に垂下した側片部７２２とを有している。雨樋形状部７３は、デッキ本体部７１の他方の側縁部から延出した底片部７３１と、底片部７３１から上方に立ち上げられた側片部７３２とを有している。また、底片部７３１よりも上方の位置には、デッキ本体部７１の他方の側縁部から延出した横延出片部７３３が形成されている。側片部７３２および横延出片部７３３間には、隣接するデッキ材７０の掛け片部７２を挿入可能な開口が形成されている。
Ｚ軸方向において連結桁４０に隣り合うデッキ材７０の掛け片部７２は、雨樋部材８０に掛けられている。本実施形態では側片部７２２が側片部８２に当接しているが、側片部８２が底片部８１および側片部８２，８３に囲まれた雨樋空間に配置されていれば側片部７２２から離間していてもよい。また、建物躯体に隣り合うデッキ材７０の雨樋形状部７３は、建物躯体に取り付けられた躯体側カバー材１００に上方から覆われており、躯体側カバー材１００に取り付けられたシール部材１０１が横延出片部７３３の上面に当接している。
【００１７】
連結桁４０は、図３に示すように、内部にホロー４１が形成された桁本体４２と、ホロー４１に配置された補強材４３とを備えている。
桁本体４２は、アルミ押出形材によって形成されており、桁上片部４２１、一対の桁側片部４２２，４２３および桁下片部４２４を有している。
桁上片部４２１には、その長手方向に沿った両側縁部および両側縁部間の中央部に厚肉部４２５が形成されている。桁側片部４２２，４２３は、桁本体４２の長手方向に沿った両側縁部に配置されている。
桁側片部４２２，４２３の上部には、Ｚ軸方向に延出した取付片部４２７がそれぞれ形成されており、これら取付片部４２７には、カバー材４５がそれぞれ取り付けられている。また、桁側片部４２２，４２３には、根太掛け２８がそれぞれネジ止めされている。
桁下片部４２４には、本実施形態では凹部４２６が形成されているが、この凹部４２６はなくてもよい。
【００１８】
ここで、カバー材４５は、連結桁４０の長手方向に沿って板状に延びて形成されており、取付片部４２７にネジ止めされている。カバー材４５は、Ｚ軸方向において取付片部４２７から連結桁４０に隣り合うデッキ材７０の上面までにわたって配置されており、これにより連結桁４０およびデッキ材７０間を覆っている。また、カバー材４５の上面は桁上片部４２１の上面と面一に配置されている。
また、根太掛け２８は、固定片部２８１と、固定片部２８１の下縁部から折曲した根太受け片部２８２とを有して断面略Ｌ字状に形成されている。各根太掛け２８の固定片部２８１は、桁側片部４２２，４２３に沿って配置されており、ネジ１５によって桁側片部４２２，４２３にそれぞれ固定されている。
【００１９】
補強材４３は、スチール等の金属材料によって形成されており、桁本体４２の長手方向に延びている。補強材４３は、補強上片部４３１、一対の補強側片部４３２，４３３および補強下片部４３４を有している。
補強上片部４３１は、桁上片部４２１の各厚肉部４２５に当接している。補強側片部４３２には、桁側片部４２２に対して窪んだ窪み部４３５と、窪み部４３５よりも上方および下方において桁側片部４２２側に突出した当接突部としての上下のリブ４３６，４３７とが形成されている。窪み部４３５は、補強材４３の長手方向に延びて形成されており、根太掛け２８を桁側片部４２２に固定しているネジ１５のネジ部が配置される空間（逃げ空間）を形成している。リブ４３６，４３７は、桁側片部４２２に当接している。リブ４３７は、根太掛け２８のネジ止め部分よりも下方において固定片部２８１との間に桁側片部４２２を挟み込んでいる。補強側片部４３３には、前述した窪み部４３５およびリブ４３６，４３７が形成されていると共にＺ軸方向において補強側片部４３２とは逆向きとされている。補強側片部４３２，４３３は、その長手方向における端部、本実施形態では両端部において桁側片部４２２，４２３にネジ１６によってネジ止めされている。補強側片部４３３のリブ４３６，４３７は桁側片部４２３に当接している。補強下片部４３４には、その長手方向に沿った両側縁部から下方に突出した脚部４３８が形成されており、この両脚部４３８が凹部４２６を間にして桁下片部４２４に当接している。
【００２０】
第二バルコニー部１２は、前述した支柱２１，２２、妻梁２３，２４、複数の根太６０および複数のデッキ材７０を備えている点で第一バルコニー部１１と同構成であり、連結桁４０ではなく前桁５０を桁材として備えている点で第一バルコニー部１１と構成が異なっている。また、妻梁２３，２４の上方および前桁５０の上方には手摺２６が設置されている。
【００２１】
前桁５０は、Ｘ軸方向に沿って配置されていると共にその両端で支柱２１，２２に固定されている。前桁５０は、アルミ押出形材によって形成されており、図３に示すように、前桁上片部５１、一対の前桁側片部５２，５３および前桁下片部５４を有しており、内部にホロー５５が形成されている。前桁側片部５２には、根太掛け２８がネジ止めされており、この根太掛け２８と連結桁４０の桁側片部４２３にネジ止めされた根太掛け２８とに複数の根太６０が掛けられてボルト止めされている。これら複数の根太６０の上には、デッキ材７０が前述した第一バルコニー部１１と同様に複数並設されている。
また、複数の根太６０のＺ軸方向における前桁５０側の端部上面には、雨樋部材９０（前側雨樋部材）がネジ止めされている。雨樋部材９０は、根太６０にネジ止めされた底片部９１と、底片部９１から立ち上げられた一対の側片部９２，９３とを有している。側片部９２は、前桁５０に隣り合うデッキ材７０の掛け片部７２が掛けられている。本実施形態では側片部７２２が側片部９２に当接しているが、側片部９２が底片部９１および側片部９２，９３に囲まれた雨樋空間に配置されていれば側片部７２２と離間していてもよい。側片部９３の上端部は、前桁上片部５１から連結桁４０側に延出したカバー片部５１１に覆われている。この雨樋部材９０があるので、前桁５０およびデッキ材７０間に入り込む雨水はそのまま下方に落ちずに雨樋部材９０によって排水される。
【００２２】
第二バルコニー部１２における複数のデッキ材７０のうち連結桁４０に隣り合うデッキ材７０の雨樋形状部７３の側片部７３２には、シール部材１７が取り付けられており、シール部材１７は取付片部４２７に当接している。この取付片部４２７に取り付けられたカバー材４５およびデッキ材７０間に入り込む雨水はそのまま落ちずに雨樋形状部７３によって排水される。
シール部材１７が当接した取付片部４２７とカバー材４５との間はシール材１４によってシーリングされている。
【００２３】
前述したバルコニー１０において、連結桁４０および支柱２１（２２）の接合部下方には雨樋１８が設置されており、前桁５０および支柱２１（２２）の接合部下方には雨樋１９が設置されている（図２参照）。
雨樋１８は、連結桁４０に隣り合う雨樋部材８０および雨樋形状部７３の長手方向における端部から排水される雨水を受けられるように、連結桁４０の長手方向に沿った両側縁部側にわたって配置されている。雨樋１８は、更に妻梁２３（２４）および支柱２１（２２）の接合部下方にまでわたって配置されている。
雨樋１９は、雨樋部材９０の長手方向における端部から排水される雨水を受けられるように、前桁５０、支柱２１（２２）および妻梁２３（２４）の接合部下方全体にわたって配置されている。
【００２４】
［本実施形態の効果］
（１）本実施形態では、連結桁４０には、その長手方向に沿った両側縁部から当該連結桁４０に隣り合うデッキ材７０の上面まで延出して配置されるカバー材４５が取り付けられている。このため、デッキ材７０が熱反りによって連結桁４０に隣り合う部分で上方へ突出しようとしても、カバー材４５によってデッキ材７０を上から押えることができ、デッキ材７０の上方への突出を抑制することができる。
また、カバー材４５がデッキ材７０の上面まで延出して配置され、デッキ材７０自体は連結桁４０に掛けられていないので、本実施形態のようにデッキ材７０の長手方向に沿った両側縁部の形状が異なっていても、第一バルコニー部１１におけるデッキ材７０と第二バルコニー部１２におけるデッキ材７０とのＺ軸方向における取付け向きを揃えることができる。
更に、カバー材４５によってデッキ材７０の上方への突出を抑制することができるので、デッキ材７０の熱反りによる上方への突出量を考慮して連結桁４０の上面がデッキ材７０の上面よりも高い位置となる例えば１０ｍｍ程度の段差を形成する必要がなく、カバー材４５の例えば２ｍｍ程度の厚さ寸法分にまで段差を小さくすることができる。
（２）第一バルコニー部１１のデッキ材７０と第二バルコニー部１２のデッキ材７０とは、Ｚ軸方向における取付向きが同じ向きに揃えられているが、連結桁４０の一方の側縁部側では、雨樋部材８０によって雨水の排水経路を形成することができ、かつ、連結桁４０の他方の側縁部側では、雨樋形状部７３によって雨水の排水経路を形成することができる。
（３）各カバー材４５および各取付片部４２７間、並びに連結桁４０の建物躯体側の取付片部４２７および雨樋部材８０の側片部８３間はシール材１４によってそれぞれ塞がれており、第二バルコニー部１２において連結桁４０に隣り合うデッキ材７０の雨樋形状部７３の側片部７３２には、連結桁４０の前桁５０側の取付片部４２７に当接したシール部材１７が取り付けられているので、連結桁４０の各取付片部４２７まわりにおける雨漏れを抑制することができる。
（４）前桁５０およびデッキ材７０に配置される雨樋部材９０は、このデッキ材７０ではなく根太６０に取り付けられているので、デッキ材７０に熱反りが生じても、雨樋部材９０と前桁５０との位置関係に影響はない。このため、前桁５０および雨樋部材９０間に隙間が生じることなく雨水を雨樋部材９０によって排水することができる。
（５）連結桁４０の両側縁部側にある雨樋形状部７３および雨樋部材８０が受けた雨水は、連結桁４０および支柱２１（２２）の接合部下方に設置された雨樋１８によって排水することができる。これにより、前記接合部およびその周辺から雨水が伝って落ち難い構成にでき、伝り落ちる雨水によって支柱２１（２２）に筋状の変色部分が発生することを抑制できる。
【００２５】
［変形例］
本発明は、以上の実施形態で説明した構成のものに限定されず、本発明の目的を達成できる範囲での変形例は、本発明に含まれる。
例えば、前記実施形態では、両側縁部に掛け片部７２および雨樋形状部７３が形成されたデッキ材７０が用いられているが、前述した掛け片部７２および雨樋形状部７３とは異なる形状であってよく、また、両側縁部が同形状とされていてもよい。このような場合であっても、連結桁４０に取り付けられたカバー材４５がデッキ材７０の上面を押えることで、デッキ材７０の熱反りによる上方への突出を抑えることができる。
前記実施形態では、デッキ材７０の側縁部側に雨樋部材８０が配置されているが、例えばデッキ材７０の両側縁部に雨樋形状部７３などが形成されている場合は、連結桁４０の両側縁部側で排水経路を形成する必要がない場合には、雨樋部材８０の構成を省略してもよい。
前記実施形態では、連結桁４０の各取付片部４２７まわりがシーリングされているが、ここを止水する必要がない場合には、当該シーリングされていなくてもよく、シール部材１７を備えなくてもよい。
前記実施形態では、前桁５０およびデッキ材７０間に雨樋部材９０を配置しているが、ここに排水経路を形成する必要がない場合には雨樋部材９０の構成を省略してもよい。
前記実施形態では、連結桁４０および支柱２１（２２）の接合部下方と前桁５０および支柱２１（２２）の接合部下方とに雨樋１８，１９がそれぞれ設置されているが、これらの構成を省略してもよい。
前記実施形態では、連結桁４０の両側縁部にカバー材４５が取り付けられているが、連結桁４０の片側においてデッキ材７０の熱反りによる上方への突出を抑える必要がない構成とされている場合には、連結桁４０の前記片側にカバー材４５が取り付けられていなくてもよい。
前記実施形態では、連結桁４０はバルコニー１０の奥行方向に沿って配置されているが、間口方向に沿って配置されていてもよい。この場合、間口方向における連結桁４０の左右に第一、第二バルコニー部のデッキ材７０が配置される。
【符号の説明】
【００２６】
１，４０…連結桁（桁材）、１０…バルコニー、１１…第一バルコニー部、１２…第二バルコニー部、１４…シール材、１７，１０１…シール部材、１８，１９…雨樋、２，５０…前桁（桁材）、２１，２２…支柱、２３，２４…妻梁、２５…床部、２６…手摺、２８…根太掛け、３Ａ，３Ｂ，７０…デッキ材、４２７…取付片部、４５…カバー材、６０…根太、７１…デッキ本体部、７２…掛け片部、７３…雨樋形状部、７３１，８１…底片部、７３２，８２，８３…側片部、８０，９０…雨樋部材。
【図１】
2019065585.tif 000003
【図２】
2019065585.tif 000004
【図３】
2019065585.tif 000005
【図４】
2019065585.tif 000006